(57)【特許請求の範囲】
【請求項１】
シートを積載するシート積載手段と、
前記シート積載手段上に積載されているシートを最上位のシートから順に繰り出す第１のシート繰出手段と、
前記シート積載手段上に積載されているシートを最下位のシートから順に繰り出す第２のシート繰出手段と、
最上位のシートのみを分離して給送する上位分離機能と、最下位のシートのみを分離して給送する下位分離機能とを併せもち、前記第１のシート繰出手段によってシートを繰り出す第１の給紙モードの時には前記上位分離機能が設定され、前記第２のシート繰出手段によってシートを繰り出す第２の給紙モードの時には前記下位分離機能が設定されるシート分離給送手段と、
を具備している給紙装置において、
前記シート積載手段上から前記シート分離給送手段へ通ずる１つの通路内に移動可能に設けられ、前記シート積載手段上に積載されているシート束の先端位置を規制するための前記シート積載手段の積載面と垂直な部分と、前記シート積載手段上から繰り出されたシート束の最上位のシートの先端が先行する状態で突き当たるように傾斜した第１のシート束突当傾斜面と、を備えたストッパ部材と、
最下位のシートの先端が先行する状態で突き当たるように傾斜した第２のシート束突当傾斜面を備えたガイド部材と、を有し、
前記ストッパ部材は、給紙が行われないときには前記シート積載手段の積載面と垂直な部分がシート束の先端位置を規制するように前記垂直な部分が前記シート積載手段上に突出してシート束の先端と対向する第１の位置に位置し、前記第１の給紙モードのときには、前記第１の位置から前記シート積載手段の積載面と垂直な方向にスライド移動して、前記第１のシート束突当傾斜面が前記第１のシート繰出手段によって繰り出されたシート束の最上位のシートの先端を先行させるように前記垂直な部分が前記シート積載手段上から退避し前記第１のシート束突当傾斜面が前記シート積載手段上に突出してシート束の先端と対向する第２の位置に位置し、前記第２の給紙モードのときには、前記第１の位置から前記シート積載手段の積載面と垂直な方向にスライド移動して、前記第２のシート繰出手段によって繰り出されたシート束の最下位のシートの先端が先行する状態で前記ガイド部材の第２のシート束突当傾斜面に突き当たるよう前記通路外の第３の位置に位置することを特徴とする給紙装置。
【請求項２】
前記ストッパ部材の下流側に前記ガイド部材が設けられていることを特徴とする請求項１に記載の給紙装置。
【請求項３】
請求項１または２に記載の給紙装置と、
前記給紙装置によって１枚ずつに分離して給送された原稿を原稿読取部へ搬送する原稿搬送手段と、を有することを特徴とする自動原稿送り装置。
【請求項４】
原稿の情報を読み取る原稿読取部と、
請求項３に記載の自動原稿送り装置と、
を有することを特徴とする原稿情報処理装置。
【発明の詳細な説明】
【０００１】
【発明の属する技術分野】
本発明は、原稿情報処理装置の原稿読取部へ原稿を自動的に給送する自動原稿送り装置等に使用する給紙装置に関する。
【０００２】
ここで言う原稿情報処理装置とは、例えば、複写機、ファクシミリ、複写機機能やファクシミリ機能等を併せもつ複合機、イメージスキャナ等のように原稿情報を読み取って処理（複写、送信、記録等）する装置を総称している。
【０００３】
【従来の技術】
複写機の場合、自動原稿送り装置は、原稿トレイ上の最終ページの原稿から順に原稿読取部へ給送する。これは、最終ページから順に複写を行って、排紙トレイ上に積載された排紙シートの積載順序を原稿トレイ上の原稿の積載順序と合わせるためである。
【０００４】
ファクシミリの場合、自動原稿送り装置は、原稿トレイ上の先頭ページの原稿から順に原稿読取部へ給送する。これは、先頭ページから順に相手ファクシミリへ送信することにより、受信者が先頭ページの情報から読めるようにするためである。
【０００５】
しかし、複写機機能とファクシミリ機能を併せもつデジタル複合機（複合型画像形成装置）の場合には、自動原稿送り装置の１つの原稿トレイ上から、複写原稿を最終ページの原稿から順に給送したり、送信原稿を先頭ページの原稿から順に給送したりすることはできない。そこで、従来では、次の（１）又は（２）の方法を採っている。
（１）自動原稿送り装置の１つの原稿トレイ上に積載された複写原稿も送信原稿も、最終ページの原稿から順に原稿読取部へ給送される。そして、複写原稿の場合には、原稿読取手段によって読み取られた順に複写されて行く。また、送信原稿の場合には、原稿読取手段によって読み取られた情報は一旦メモリ手段に蓄えられた後、先頭ページの情報から順に相手ファクシミリへ送信される。
（２）自動原稿送り装置には、複写原稿を積載する複写用原稿トレイと送信原稿を積載する送信用原稿トレイが備えられている。複写用原稿トレイ上に積載されている複写原稿は最終ページから順に給送される。送信用原稿トレイ上に積載されている送信原稿は先頭ページから順に給送される。
【０００６】
しかし、上記（１）の方法の場合には高価なメモリ手段が必要であり、上記（２）の方法の場合には２つの原稿トレイが必要であるため、コスト高になる問題があった。
【０００７】
この問題に鑑みて、本願出願人は先に、１つの原稿積載手段上から、複写原稿を最終ページの原稿から順に給送したり、送信原稿を先頭ページの原稿から順に給送したりすることができるようにした給紙装置を提案している。
【０００８】
この給紙装置は、１つの原稿積載手段（シート積載手段）と、同原稿積載手段上に積載されている原稿を最上位の原稿から順に繰り出す第１の原稿繰出手段（シート繰出手段）と、同原稿積載手段上に積載されている原稿を最下位の原稿から順に繰り出す第２の原稿繰出手段（シート繰出手段）と、第１の原稿繰出手段によって繰り出された最上位の原稿のみを分離して給送する上位分離機能と、第２の原稿繰出手段によって繰り出された最下位の原稿のみを分離して給送する下位分離機能とを併せもつ原稿分離給送手段（シート分離給送手段）と、を備えて構成されている。
【０００９】
この給紙装置では、複写原稿も送信原稿も、原稿積載手段上には、最下位の原稿が最終ページの原稿となるようにして積載される。そして、送信原稿の場合には第１の原稿繰出手段によって最上位の原稿（先頭ページの原稿）から順に繰り出される。この時、原稿分離給送手段は上位分離機能に設定されており、原稿積載手段は第１の位置（高位置）にセットされている。一方、複写原稿の場合には第２の原稿繰出手段によって最下位の原稿（最終ページの原稿）から順に繰り出される。この時、原稿分離給送手段は下位分離機能に設定されており、原稿積載手段は第２の位置（低位置）にセットされている。
【００１０】
最上位の原稿から順に繰り出す場合と、最下位の原稿から順に繰り出す場合とで、原稿積載手段のセット位置を変えるのは、第１の原稿繰出手段によって繰り出された原稿を分離ニップに導く高位置の通路と第２の原稿繰出手段によって繰り出された原稿を分離ニップに導く低位置の通路とを個別に有しているからである。それぞれの通路にはプレ分離手段が設けられている。
【００１１】
【発明が解決しようとする課題】
しかし、この給紙装置のように、最上位の原稿から順に繰り出す場合と、最下位の原稿から順に繰り出す場合とで、原稿積載手段のセット位置を変える方式
（構成）においては、次のような問題点があった。
【００１２】
すなわち、（１）多数枚の原稿が積載された原稿積載手段は大荷重である。このため、原稿積載手段を駆動させるためには大容量の駆動源（例えば、モータやソレノイド等）が必要であり、コストアップする。（２）原稿積載手段の駆動時に振動で原稿の積載状態が乱れ、給紙が不安定になる。（３）原稿積載手段の位置変更の時間が必要となるので、ファースト給紙時間が長くなってしまう。
【００１３】
そこで本発明は、上述の如き事情に鑑みてなされたもので、シート積載手段（原稿積載手段）の位置変更を行わずに、最上位のシート（原稿）から順に繰り出したり、最下位のシートから順に繰り出したりすることができる給紙装置を提供することを目的とする。
【００１４】
【課題を解決するための手段】
本発明は、シートを積載するシート積載手段と、前記シート積載手段上に積載されているシートを最上位のシートから順に繰り出す第１のシート繰出手段と、前記シート積載手段上に積載されているシートを最下位のシートから順に繰り出す第２のシート繰出手段と、最上位のシートのみを分離して給送する上位分離機能と、最下位のシートのみを分離して給送する下位分離機能とを併せもち、前記第１のシート繰出手段によってシートを繰り出す第１の給紙モードの時には前記上位分離機能が設定され、前記第２のシート繰出手段によってシートを繰り出す第２の給紙モードの時には前記下位分離機能が設定されるシート分離給送手段と、を具備している給紙装置に係る。
【００１５】
そして、本発明は、上記目的を達成するため、前記シート積載手段上から前記シート分離給送手段へ通ずる１つの通路内に移動可能に設けられ、前記シート積載手段上に積載されているシート束の先端位置を規制するための前記シート積載手段の積載面と垂直な部分と、前記シート積載手段上から繰り出されたシート束の最上位のシートの先端が先行する状態で突き当たるように傾斜した第１のシート束突当傾斜面と、を備えたストッパ部材と、最下位のシートの先端が先行する状態で突き当たるように傾斜した第２のシート束突当傾斜面を備えたガイド部材と、を有し、前記ストッパ部材は、給紙が行われないときには前記シート積載手段の積載面と垂直な部分がシート束の先端位置を規制するように前記垂直な部分が前記シート積載手段上に突出してシート束の先端と対向する第１の位置に位置し、前記第１の給紙モードのときには、前記第１の位置から前記シート積載手段の積載面と垂直な方向にスライド移動して、前記第１のシート束突当傾斜面が前記第１のシート繰出手段によって繰り出されたシート束の最上位のシートの先端を先行させるように前記垂直な部分が前記シート積載手段上から退避し前記第１のシート束突当傾斜面が前記シート積載手段上に突出してシート束の先端と対向する第２の位置に位置し、前記第２の給紙モードのときには、前記第１の位置から前記シート積載手段の積載面と垂直な方向にスライド移動して、前記第２のシート繰出手段によって繰り出されたシート束の最下位のシートの先端が先行する状態で前記ガイド部材の第２のシート束突当傾斜面に突き当たるよう前記通路外の第３の位置に位置することを特徴とする。
【００１７】
【発明の実施の形態】
以下、本発明の実施の形態を図面に基づいて説明する。
〈第１の実施の形態〉
図１は本発明の給紙装置が組み込まれている自動原稿送り装置の主要部の構成を示す。なお、本自動原稿送り装置１００は、複写機機能とファクシミリ機能とを併せもつデジタル複合機（原稿情報処理装置）２００に備えられるものである。
【００１８】
まず、本自動原稿送り装置１００を構成している主要メンバーについて説明する。
【００１９】
符号１０１は複写原稿及び送信原稿を積載するための原稿トレイ（シート積載手段）である。
【００２０】
符号１０２は原稿トレイ１０１上に積載されている原稿（シート）Ｄを最上位の原稿から順に繰り出すための上繰出ローラ（第１のシート繰出手段）である。この上繰出ローラ１０２は処理済み原稿Ｄを排紙するための排紙ローラをも兼ねている。
【００２１】
上繰出ローラ１０２は、支軸１０３を中心として上下の方向に回動可能な支持部材１０４に回転可能に取り付けられており、不図示の駆動伝達手段によって駆動が伝えられる。この上繰出ローラ１０２は、原稿繰出時も原稿排紙時もＣＷ方向（時計回り方向）に回転する。
【００２２】
上繰出ローラ１０２は、通常は、排紙コロ１０５に当接する図示の排紙ポジションに位置している。そして、原稿Ｄを繰り出す毎に排紙ポジションから最上位の原稿に所定圧で当接する位置まで降下して原稿の繰り出しを行う。
【００２３】
符号１０６は原稿トレイ１０１上に積載されている原稿Ｄを最下位の原稿から順に繰り出すための半月状の下繰出ローラ（第２のシート繰出手段）である。この下繰出ローラ１０６は不図示の駆動伝達手段によって駆動が伝えられ、ＣＣＷ方向（反時計回り方向）に回転する。
【００２４】
この下繰出ローラ１０６が原稿の繰り出しを行う時、排紙ポジションに位置している上繰出ローラ１０２が最上位原稿に当接するまで降下する。これにより、支持部材１０４に取り付けられている板状の押え部材１０７が原稿束を押え、下繰出ローラ１０６による原稿の繰り出しが可能となる。
【００２５】
符号１０８は原稿トレイ１０１上に積載された原稿Ｄの先端位置を規制するための板状のシャッタ部材（シート束移動阻止手段）である。このシャッタ部材１０８の上部は下流に向かって高くなるように傾斜しており、この傾斜部１０８ａが、上繰出ローラ１０２によって繰り出された原稿束先端の突き当て面として機能するようになっている。
【００２６】
シャッタ部材１０８は、原稿Ｄの繰り出しが行われない時（スタンバイ時）には、図１に示す第１の位置で原稿Ｄの先端位置を規制しているが、上繰出ローラ１０２による繰り出しが行われる時には、図３(a) に示す第２の位置（傾斜部１０８ａが原稿トレイ１０１上に突出している位置）まで降下し、下繰出ローラ１０６による繰り出しが行われる時には、図３(b) に示す第３の位置（原稿トレイ１０１下に没する位置）まで降下する。
【００２７】
シャッタ部材１０８は、第１の位置から第２の位置へのセット位置の変更と、第１の位置から第３の位置へのセット位置の変更の２段階の移動が可能なように、不図示の２つのソレノイドとリンク機構を介して連結されている。２つのソレノイドがオフの状態にある時には、シャッタ部材１０８は、不図示の付勢手段（ばね等）によって上方に付勢されて第１の位置に位置している。そして、１つのソレノイドをオンにすると、第１の位置から第２の位置へ移動し、２つのソレノイドをオンにすると、第１の位置から第３の位置へ移動するようになっている。
【００２８】
符号１０９は分離ベルト１１０と分離ローラ１１１とからなる原稿分離装置（シート分離給送手段）である。分離ベルト１１０は不図示のトルクリミッタを介して駆動が伝えられる駆動プーリ１１２と同駆動プーリ１１２の回転に従動回転する従動プーリ１１３とに巻き掛けられている。分離ローラ１１１には不図示のトルクリミッタを介して駆動が伝えられる。
【００２９】
上繰出ローラ１０２による原稿の繰り出しが行われる時には、分離ベルト１１０及び分離ローラ１１１はＣＷ方向に回転して、最上位の原稿のみを分離して給送する上位分離機能を果たす。また、下繰出ローラ１０６による原稿の繰り出しが行われる時には、分離ベルト１１０及び分離ローラ１１１はＣＣＷ方向に回転して、最下位の原稿のみを分離して給送する下位分離機能を果たす。なお、原稿分離装置１０９の上位分離機能と下位分離機能の切り換えに関連する構成については後述する。
【００３０】
符号１１４は上繰出ローラ１０２によって繰り出された原稿Ｄを原稿分離装置１０９の分離ニップに導くための分離前上ガイド部材である。この分離前上ガイド部材１１４は下流に向かって低くなるように傾斜している。また、この分離前上ガイド部材１１４と対向する位置まで原稿トレイ１０１の先端側１０１ａが延びていて、この部分１０１ａが、下繰出ローラ１０６によって繰り出された原稿Ｄを分離ニップに導くための分離前下ガイド部材として機能するようになっている。
【００３１】
符号１１５は原稿分離装置１０９から送られてきた原稿Ｄの斜行状態を矯正するためのレジストローラ対である。このレジストローラ対１１５は、大径の搬送ローラ１１６と搬送コロ１１７とからなっている。搬送ローラ１１６は不図示の駆動伝達手段によって駆動が伝えられＣＷ方向に回転するようになっている。搬送コロ１１７は搬送ローラ１１６の回転に従動回転する。
【００３２】
レジストローラ対１１５は、原稿分離装置１０９から原稿Ｄが送られてくるまでは回転停止状態にある。そして、原稿Ｄの先端がニップに突き当たって原稿Ｄに所定量のループが形成された時点で回転を開始して原稿Ｄを下流へ搬送する。所定量のループが形成された原稿Ｄは斜行状態が矯正される。
【００３３】
符号１１８はレジストローラ対１１５によって送られてきた原稿Ｄをデジタル複合機２００のプラテンガラス（原稿読取部）２０１上の読取位置へ搬送するための搬送ベルト（原稿搬送手段）である。
【００３４】
なお、上繰出ローラ１０２によって繰り出された原稿Ｄがプラテンガラス２０１上において所定の処理を終えると再び原稿トレイ１０１上に戻されるが、この時、レジストローラ対１１６を構成している搬送ローラ１１６は同原稿Ｄの搬送を行う。
【００３５】
符号１１９ないし１２４は搬送ガイド部材であり、符号１２５，１２６は搬送コロである。
【００３６】
次に、送信モード時と複写モード時における原稿の流れ、並びに各モード時における主要メンバーの動作を説明する。
【００３７】
本自動原稿送り装置１００では、送信原稿も複写原稿も、画像面（情報面）を上に向け、先頭ページが最上位に位置するようにして原稿トレイ１０１上に積載しておく。
〈送信モード〉図２(a) 参照
送信モードの場合、原稿トレイ１０１上に積載されている送信原稿Ｄは、上繰出ローラ１０２によって繰り出される。
【００３８】
給紙スタート信号が入力すると、図３(a) に示すように、まず、第１の位置にあったシャッタ部材１０８が第２の位置へ移動する。続いて、排紙ポジションにあった上繰出ローラ１０２が破線図示の位置まで降下してＣＷ方向に回転する。
【００３９】
これにより、原稿束の先端がシャッタ部材１０８の傾斜部１０８ａの傾斜面（第１のシート束突当傾斜面）に最上位の原稿の先端が先行する状態で突き当たり、捌かれてプレ分離する。そして、最上位の原稿のみが傾斜部１０８ａを乗り越えて分離ニップへ送り込まれる。
【００４０】
上繰出ローラ１０２によって繰り出された原稿Ｄは分離ニップを通過してレジストローラ対１１５へ送られる。なお、複数枚の原稿が傾斜部１０８ａを乗り越えてきた場合には、分離ローラ１１１が最上位以外の原稿を上流側へ戻す。
【００４１】
レジストローラ対１１５へ送られた原稿Ｄは斜行状態矯正後に搬送ベルト１１８とプラテンガラス２０１の間へ送られる。そして、搬送ベルト１１８によってプラテンガラス２０１上の読取位置へ搬送される。
【００４２】
デジタル複合機２００が原稿画像の読み取りを終えると、搬送ベルト１１８がプラテンガラス２０１上の処理済み原稿Ｄを下流側に搬出する。そして、この処理済み原稿Ｄは排紙ローラ対１２７によってデジタル複合機２００側の排紙トレイ２０２上へ画像面を下に向けて排紙される。
【００４３】
なお、デジタル複合機２００は先頭ページの情報から読み取るので、読み取った情報をメモリ手段に蓄えずに相手ファクシミリへ送信できる。
〈複写モード〉図２(b) 参照
複写モードの場合、原稿トレイ１０１上に積載されている複写原稿Ｄは、下繰出ローラ１０６によって繰り出される。
【００４４】
給紙スタート信号が入力すると、図３(b) に示すように、まず、第１の位置にあったシャッタ部材１０８が第３の位置へ移動する。続いて、排紙ポジションにあった上繰出ローラ１０２が原稿束を押えるために破線図示の位置まで降下する。続いて、下繰出ローラ１０６がＣＣＷ方向に回転する。
【００４５】
これにより、原稿束の先端が分離前上ガイド部材１１４の傾斜面（第２のシート束突当傾斜面）に最下位の原稿の先端が先行する状態で突き当たり、捌かれてプレ分離する。そして、最下位の原稿を含めた数枚の原稿は分離前上ガイド部材１１４と分離前下ガイド部材１０１ａの間を通って分離ニップへ送られるが、最下位以外の原稿は分離ベルト１１０によって上流側へ戻され、最下位の原稿のみが分離ニップを通過する。
【００４６】
分離ニップを通過した原稿Ｄはレジストローラ対１１５へ送られる。そして、レジストローラ対１１５へ送られた原稿Ｄは斜行状態矯正後に搬送ベルト１１８とプラテンガラス２０１の間へ送られる。そして、搬送ベルト１１８によってプラテンガラス２０１上の読取位置へ搬送される。
【００４７】
デジタル複合機２００が原稿画像の読み取りを終えると、搬送ベルト１１８がプラテンガラス２０１上の処理済み原稿Ｄを上流側に搬出する。そして、この処理済み原稿Ｄは搬送ローラ１１６によって排紙ローラ１０２へ搬送され、同排紙ローラ１０２によって原稿トレイ１０１上へ画像面を上に向けて排紙される。
【００４８】
次に、原稿分離装置１０９の上位分離機能と下位分離機能の切り換えに関連する構成について説明する。
【００４９】
まず、図４を用いて、分離ベルト１１０と分離ローラ１１１の関係について説明する。図４は縦断正面図であり、原稿Ｄは紙面に対して垂直方向に移動する。
【００５０】
分離ベルト１１０は原稿幅方向に等間隔で配置された複数のベルト１１０−１、１１０−２からなる。また、分離ローラ１１１は原稿幅方向に等間隔で配置された複数のローラ１１１−１、１１１−２からなる。そして、分離ベルト１１０の各ベルト１１０−１、１１０−２と分離ローラ１１１の各ローラ１１１−１、１１１−２は交互に噛み合う状態になっている。
【００５１】
分離ベルト１１０は原稿幅方向両側部のベルト１１０−１がそれぞれグループＡ−１、Ｂ−１を形成し、原稿幅方向中央部のベルト１１０−２がグループＣ−１を形成している。また、分離ローラ１１１は原稿幅方向両側部のローラ１１１−１がそれぞれグループＡ−２、Ｂ−２を形成し、原稿幅方向中央部のローラ１１１−２がグループＣ−２を形成している。ここでは、グループＡ−１、Ｂ−１のベルト１１０−１とグループＡ−２、Ｂ−２のローラ１１１−１とで下位分離ニップを形成し、グループＣ−１のベルト１１０−２とグループＣ−２のローラ１１１−２とで上位分離ニップを形成する。
【００５２】
グループＡ−２、Ｂ−２のローラ１１１−１は対紙摩擦係数２．０のＥＰＤＭからなるローラである。このローラ１１１−１はＰＯＭ樹脂からなるフランジ１１１−３に圧入固定されている。グループＡ−１、Ｂ−１のベルト１１０−１は対紙摩擦係数１．２のＥＰＤＭからなるベルトである。
【００５３】
グループＣ−２のローラ１１１−２は対紙摩擦係数１．２のＥＰＤＭからなるローラである。このローラ１１１−２はＰＯＭ樹脂からなるフランジ１１１−４に圧入固定されている。グループＣ−１のベルト１１０−２は対紙摩擦係数２．０のＥＰＤＭからなるベルトである。
【００５４】
下位分離時には、グループＡ−１、Ｂ−１のベルト１１０−１とグループＡ−２、Ｂ−２のローラ１１１−１とで下位分離ニップが形成されるように、グループＣ−１のベルト１１０−２を位置ｈ−１（分離ニップ形成位置）から位置ｈ−２まで退避させる。つまり、上位分離ニップを解除する。また、上位分離時には、グループＣ−１のベルト１１０−２とグループＣ−２のローラ１１１−２とで上位分離ニップが形成されるように、グループＡ−１、Ｂ−１のベルト１１０−１を位置ｈ−１から位置ｈ−２まで退避させる。つまり、下位分離ニップを解除する。
【００５５】
次に、図５を用いて、グループＡ−１、Ｂ−１のベルト１１０−１とグループＣ−１のベルト１１０−２を位置ｈ−１から位置ｈ−２へ移動させる構成について説明する。図５（ａ）は平面図であり、図５（ｂ）は側面図である。
【００５６】
ベルト１１０−１、１１０−２の駆動プーリ１１２−１、１１２−２と従動プーリ１１３−１、１１３−２の間にはアジャスト部材１４１−１、１４１−２が介在しており、このアジャスト部材１４１−１、１４１−２によって駆動プーリ１１２−１、１１２−２と従動プーリ１１３−１、１１３−２の軸間距離が変更可能となり、ベルト１１０−１、１１０−２の張力調整ができるようになっている。
【００５７】
アジャスト部材１４１−１、１４１−２は駆動軸１４０を中心として上下の方向に回動可能であり、このアジャスト部材１４１−１、１４１−２と一体的にベルト１１０−１、１１０−２も駆動軸１４０を中心として回動するようになっている。また、アジャスト部材１４１−１、１４１−２には、同アジャスト部材１４１−１、１４１−２を押し上げるための押上げ部１４２−１、１４２−２が一体的に設けられている。
【００５８】
下位分離ニップを形成する場合には、押上げ部１４２−２を図示の回動基準位置（位置ｈ−１）から押し上げて、グループＣ−１のベルト１１０−２を位置ｈ−２まで退避させる。また、上位分離ニップを形成する場合には、押上げ部１４２−１を図示の回動基準位置から押し上げて、グループＡ−１、Ｂ−１のベルト１１０−１を位置ｈ−２まで退避させる。
【００５９】
次に、図６を用いて、アジャスト部材１４１−１、１４１−２を回動させる機構の構成と動作について説明する。
【００６０】
図６では、便宜上、下位分離を行うグループＡ−１、Ｂ−１のベルト１１０−１のみを示している。
【００６１】
本機構は、位相の異なる２種類のカム３０１、３０２を有しているカム軸３００と、同カム軸３００を駆動するための不図示の駆動源（モータ等）と、からなる。
【００６２】
カム３０１は、カム軸３００上の各押上げ部１４２−１に対応する位置に一体的に形成されている。また、カム３０２は、カム軸３００上の押上げ部１４２−２に対応する位置に一体的に形成されている。カム３０１、３０２はアジャストボルト３０３を有している。なお、カム３０２のアジャストボルト３０３は図示省略されている。このアジャストボルト３０３は図４の位置ｈ−１を正確に設定するためのものであり、設定後にはナット３０４で固定される。
【００６３】
図６（ａ）はグループＡ−１、Ｂ−１のベルト１１０−１が下位分離のために図４の位置ｈ−１にセットされている状態を示す。この場合、カム３０１のアジャストボルト３０３の頭が図５（ｂ）の回動基準位置にある押上げ部１４２−１の下面に当接している。また、カム３０１よりもＣＣＷ方向に位相がずれているカム３０２のアジャストボルト３０３の頭は押上げ部１４２−２（不図示）の下面に当接している。これにより、グループＣ−１のベルト１１０−２（不図示）は図４の位置ｈ−２に退避している。なお、押上げ部１４２−１、１４２−２は不図示の付勢手段によって矢印Ｐ方向（ＣＣＷ方向）に付勢されている。
【００６４】
下位分離態勢にある図６（ａ）の状態がカム軸３００の初期位置である。
【００６５】
下位分離態勢から上位分離態勢に切り換えるには、初期位置にあるカム軸３００をＣＣＷ方向に９０度回転させる。このようにすると、カム３０１、３０２の位置は図６（ｂ）を経て図６（ｃ）の位置に変わる。この過程で、カム３０１が押上げ部１４２−１を押し上げ、グループＡ−１、Ｂ−１のベルト１１０−１が図４の位置ｈ−２に退避する。また、カム３０２が押上げ部１４２−２から外れ、押上げ部１４２−２が図５（ｂ）の回動基準位置に戻り、グループＣ−１のベルト１１０−２が図４の位置ｈ−１に降下する。これにより、上位分離態勢となる。
【００６６】
図６（ｃ）の上位分離態勢から下位分離態勢に切り換えるには、カム軸３００をＣＷ方向に９０度回転させる。
〈第２の実施の形態〉
図７に、本発明の別の構成例を示す。
【００６７】
ここでは、図１の原稿分離装置１０９を原稿分離装置１３０に変更し、シャッタ部材１０８を板状の下ストッパ部材（傾斜部材）１３３に変更し、分離前上ガイド部材１１４を板状の上ストッパ部材（傾斜部材）１３４に変更している。符号１３５はパスを形成している上ガイド部材である。
【００６８】
原稿分離装置１３０は、不図示のトルクリミッタを介して駆動が伝えられる第１分離ローラ１３１と、不図示のトルクリミッタを介して駆動が伝えられる第２分離ローラ１３２とからなる。第１分離ローラ１３１及び第２分離ローラ１３２のうちの一方のローラは位置固定されている。そして、他方のローラは移動可能となっていて、一方のローラに対して所定圧で当接するように付勢されている。
【００６９】
上繰出ローラ１０２による繰り出しが行われる時（図７(b) ）、第１分離ローラ１３１及び第２分離ローラ１３２はＣＷ方向に回転する。また、下繰出ローラ１０６による繰り出しが行われる時（図７(c) ）、第１分離ローラ１３１及び第２分離ローラ１３２はＣＣＷ方向に回転する。
【００７０】
下ストッパ部材１３３は下流に向かって高くなるように傾斜している。この下ストッパ部材１３３は、傾斜方向に沿って図７(a) 、(b) と図７(c) との間を移動可能になっている。下ストッパ部材１３３は、不図示の第１ソレノイドがオフの状態の時には不図示の付勢手段によって付勢されて図７(a) 、(b) の位置（スタンバイ位置）にあり、同第１ソレノイドをオンにすると図７(c) の位置（退避位置）へ移動する。
【００７１】
上ストッパ部材１３４は下流に向かって低くなるように傾斜している。この上ストッパ部材１３４は、傾斜方向に沿って図７(a) 、(c) と図７(b) との間を移動可能になっている。上ストッパ部材１３４は、不図示の第２ソレノイドがオフの状態の時には不図示の付勢手段によって付勢されて図７(a) 、(c) の位置（スタンバイ位置）にあり、同第２ソレノイドをオンにすると図７(b) の位置（退避位置）へ移動する。
【００７２】
図７(a) はスタンバイ時の状態を示す。
【００７３】
この場合、第１ソレノイド、第２ソレノイドはいずれもオフになり、下ストッパ部材１３３、上ストッパ部材１３４はパス内でスタンバイする。
【００７４】
図７(b) は送信モード時の状態を示す。
【００７５】
この場合、第１ソレノイドはオフ、第２ソレノイドはオンになる。従って、下ストッパ部材１３３はパス内で引き続きスタンバイしており、上ストッパ部材１３４はパス外に退避する。
【００７６】
そして、排紙ポジションにあった上繰出ローラ１０２が破線図示の位置まで降下して、ＣＷ方向に回転する。これにより、原稿束の先端が下ストッパ部材１３３の傾斜面（第１のシート束突当傾斜面）に最上位の原稿の先端が先行する状態で突き当たり、捌かれてプレ分離する。そして、最上位の原稿のみが下ストッパ部材１３３を乗り越えて分離ニップへ送り込まれる。
【００７７】
この時、複数枚の原稿が下ストッパ部材１３３を乗り越えてきた場合には、第２分離ローラ１３２が最上位以外の原稿を上流側へ戻す。
【００７８】
図７(c) は複写モード時の状態を示す。
【００７９】
この場合、第２ソレノイドはオフ、第１ソレノイドはオンになる。従って、上ストッパ部材１３４はパス内で引き続きスタンバイしており、下ストッパ部材１３３はパス外に退避する。
【００８０】
そして、排紙ポジションにあった上繰出ローラ１０２が原稿束を押さえるために破線図示の位置まで降下し、下繰出ローラ１０６がＣＣＷ方向に回転する。これにより、原稿束の先端が上ストッパ部材１３４の傾斜面（第２のシート束突当傾斜面）に最下位の原稿が先行する状態で突き当たり、捌かれてプレ分離する。そして、最下位の原稿を含めた数枚の原稿は上ストッパ部材１３４と分離前下ガイド部材１０１ａの間を通って分離ニップへ送られるが、最下位以外の原稿は第１分離ローラ１３１によって上流側へ戻され、最下位の原稿のみが分離ニップを通過する。
【００８１】
なお、本明細書では、デジタル複合機の原稿読取部へ原稿（複写原稿、送信原稿）を自動的に給送する自動原稿送り装置に組み込まれる給紙装置について説明したが、本発明は、例えば、原稿読取装置（イメージスキャナ）や複写機、ファクシミリ、プリンタ等に備えられる給紙装置にも幅広く適用することが可能である。
【００８２】
【発明の効果】
以上説明したように、本発明の給紙装置によれば、シート積載手段上からシート分離給送手段に通ずる１つの通路内に、シート積載手段上から繰り出されたシート束の先端を最上位のシートの先端が先行する状態で突き当てる第１のシート束突当傾斜面と最下位のシートの先端が先行する状態で突き当てる第２のシート束突当傾斜面が選択的に形成できるようにしたので、１つの通路内で、シート分離給送手段上流での上位分離機能時のプレ分離と下位分離機能時のプレ分離とが行えるようになる。
【００８３】
このため、上位分離機能時のプレ分離と下位分離機能時のプレ分離を別の通路で行うために、上位分離機能時と下位分離機能時とでシート積載手段のセット位置を変更する必要もない。
【図面の簡単な説明】
【図１】本発明の給紙装置が組み込まれている自動原稿送り装置の主要部の構成を示す断面図。
【図２】同自動原稿送り装置における送信モード時と複写モード時の原稿の流れを説明する概略断面図。
【図３】同自動原稿送り装置の要部（給紙装置部分）の送信モード時と複写モード時の動作を説明する断面図。
【図４】分離ベルトと分離ローラの関係を説明する縦断正面図。
【図５】分離ベルトを位置ｈ−１から位置ｈ−２へ移動させるための構成を説明する平面図（図５（ａ））及び側面図（図５（ｂ））。
【図６】アジャスト部材を回動させるための機構の構成を説明する側面図。
【図７】本発明の別の構成例を示す断面図。
【符号の説明】
１００    自動原稿送り装置
１０１    原稿トレイ（シート積載手段）
１０２    上繰出ローラ（第１のシート繰出手段）
１０６    下繰出ローラ（第２のシート繰出手段）
１０８    シャッタ部材（シート束移動阻止手段）
１０８ａ  傾斜部（第１のシート束突当傾斜面）
１１４    分離前上ガイド部材（第２のシート束突当傾斜面）
１０９，１３０    原稿分離装置（シート分離給送手段）
１１８    搬送ベルト（原稿搬送手段）
１３３    下ストッパ部材（第１のシート束突当傾斜面、傾斜部材）
１３４    上ストッパ部材（第２のシート束突当傾斜面、傾斜部材）
２００    デジタル複合機（原稿情報処理装置）
２０１    プラテンガラス（原稿読取部）
Ｄ        原稿（シート）
【図１】
0003809245.tif 000002
【図２】
0003809245.tif 000003
【図３】
0003809245.tif 000004
【図４】
0003809245.tif 000005
【図５】
0003809245.tif 000006
【図６】
0003809245.tif 000007
【図７】
0003809245.tif 000008